(57)【要約】【課題】防振性能及び耐震性能を保持しつつ、建設現場の工期短縮を図ることができる設備機器用架台を提供する。【解決手段】設備機器用架台１は、振動を発生する設備機器が据え付けられ、例えば鉄骨梁４ａ、中間鉄骨柱４ｂ、及び補強材４ｃ等からなる鉄骨造の据付架台２と、この据付架台２を固定支持し、例えば鉄骨柱６ａ、鉄骨中間梁６ｂ、補強材６ｃ、主鉄筋６ｄ、フープ鉄筋、及びコンクリート６ｅ，６ｅＡ等からなる複数の鉄骨鉄筋コンクリート造の架台柱脚３とを一体として備える。【選択図】図１
2005207130.tif 000002
【特許請求の範囲】
【請求項１】
振動を発生する設備機器が据え付けられる鉄骨造の据付架台と、この据付架台を固定支持する複数の鉄骨鉄筋コンクリート造の架台柱脚とを一体として備えることを特徴とする設備機器用架台。      
【請求項２】
請求項１記載の設備機器用架台において、前記架台柱脚のコンクリートから露出した鉄骨部分と前記据付架台とが接合されていることを特徴とする設備機器用架台。
【請求項３】
請求項１記載の設備機器用架台において、前記架台柱脚のコンクリートから露出した鉄骨部分と前記据付架台とがスペーサ用鋼板を介し接合されていることを特徴とする設備機器用架台。
【請求項４】
請求項２又は３記載の設備機器用架台において、前記据付架台と接合された前記架台柱脚の前記鉄骨部分は、鉄筋が配筋され、それら周囲にコンクリートが打設されていることを特徴とする設備機器用架台。
【請求項５】
請求項１〜４のいずれか１項記載の設備機器用架台において、前記設備機器は、タービンや発電機等の回転機器であることを特徴とする設備機器用架台。
【発明の詳細な説明】
【技術分野】
【０００１】
本発明は、振動を発生する例えばタービンや発電機等の設備機器が据え付けられる設備機器用架台に関する。
【背景技術】
【０００２】
一般に、タービン、発電機、輪転機、及びプレス機等の設備機器が据え付けられる架台においては、設備機器で発生する振動や地震等による振動が伝播することが知られている。そこで従来、例えば、鉄骨部材によって組立てられ骨組みをなす鉄骨フレームと、この鉄骨フレームに取り付けた設備機器据え付け用のアンカーボルトと、前記鉄骨フレーム外側に取り付けた取付け部材と、この取付け部材を介し配筋された鉄筋と、設備機器の据え付け面から前記アンカーボルトを一部突出するように前記鉄骨フレームの周囲に打設されたコンクリートとからなる基礎架台が提唱されている（例えば、特許文献１参照）。この基礎架台は、鉄骨鉄筋コンクリート造とすることで、設備機器及び地震等の振動に耐えうる防振性能及び耐震性能を保持するようになっている。
【０００３】
【特許文献１】特開平９−１２５４１５号公報
【発明の開示】
【発明が解決しようとする課題】
【０００４】
しかしながら、上記従来技術には以下のような課題が存在する。
すなわち、上記基礎架台は鉄骨鉄筋コンクリート造であるため、建設現場で行われる現地依存性の高い工事となって作業工程期間が長くなり、全体の建設工期を長くさせていた。かといって、工期を短縮するために基礎架台を例えば鉄骨造とすれば、防振性能及び耐震性能を保持することが困難となっていた。
【０００５】
本発明の目的は、防振性能及び耐震性能を保持しつつ、建設現場の工期短縮を図ることができる設備機器用架台を提供することにある。
【課題を解決するための手段】
【０００６】
（１）上記目的を達成するために、本発明は、振動を発生する設備機器が据え付けられる鉄骨造の据付架台と、この据付架台を固定支持する複数の鉄骨鉄筋コンクリート造の架台柱脚とを一体として備える。              
本発明によれば、振動を発生する設備機器が据え付けられる据付架台と、この据付架台を固定支持する複数の架台柱脚とを一体として備えており、架台柱脚を鉄骨鉄筋コンクリート造とするので、防振性能及び耐震性能を保持しつつ、据付架台を鉄骨造とすることで、据付架台は工場等で製作することが可能となり、建設現場の工期短縮を図ることができる。
【０００７】
（２）上記（１）において、好ましくは、前記架台柱脚のコンクリートから露出した鉄骨部分と前記据付架台とが接合されている。
【０００８】
（３）上記（１）において、また好ましくは、前記架台柱脚のコンクリートから露出した鉄骨部分と前記据付架台とがスペーサ用鋼板を介し接合されている。
【０００９】
（４）上記（２）又は（３）において、前記据付架台と接合された前記架台柱脚の前記鉄骨部分は、鉄筋が配筋され、それら周囲にコンクリートが打設されている。
【００１０】
（５）上記（１）〜（４）のいずれか１つにおいて、前記設備機器は、タービンや発電機等の回転機器である。
【発明の効果】
【００１１】
本発明によれば、防振性能及び耐震性能を保持しつつ、建設現場の工期短縮を図ることができる。
【発明を実施するための最良の形態】
【００１２】
以下、本発明の一実施形態を図面を参照しつつ説明する。
図１は、本発明の設備機器用架台の一実施形態の全体構造を表す側面図であり、図２は、図１中Ａ部の部分拡大側面図である。
【００１３】
これら図１及び図２において、設備機器用架台１は、振動を発生する例えばタービンや発電機等の回転機器（図示しない）が据え付けられる鉄骨造の据付架台２と、この据付架台２を固定支持する複数の鉄骨鉄筋コンクリート造の架台柱脚３とを一体として備えている。
【００１４】
据付架台２は、例えば、水平方向の鉄骨梁４ａ及び鉛直方向の中間鉄骨柱４ｂで骨組みされ、さらに補強材４ｃがすじかいに設けられている。これにより、据付架台２は、例えば鉄筋コンクリート造や鉄骨鉄筋コンクリート造とする場合に比べ、物量が大幅に低減されている。
【００１５】
架台柱脚３は、例えば、基礎５に立設した複数の鉄骨柱６ａと、これら鉄骨柱６ａに架設した水平方向の鉄骨中間梁６ｂと、すじかいに設けた補強材６ｃとで骨組みされ、基礎５から鉛直方向に配筋される主鉄筋６ｄ（図１中便宜上、斜線で図示）と、鉄骨柱６ａ及び鉄骨中間梁６ｂに巻かれるフープ鉄筋（図示せず）とが配筋され、それら周囲にコンクリート６ｅが打設されている。
【００１６】
また、架台柱脚３の鉄骨柱６ａの上側（図１及び図２中上側）には、最初、コンクリート６ｅから露出した鉄骨部分６ａＡ及び主鉄筋部分６ｄＡがあり、例えば鉄骨部分６ａＡと据付架台２の鉄骨梁４ａとがスペーサ用鋼板７を介し（あるいはスペーサ用鋼板７を介さず）ボルト又は溶接等で接合されている。そして、接合された鉄骨部分６ａＡ及び主鉄筋部分６ｄＡの周囲にはコンクリート６ｅＡが打設され、このコンクリート６ｅＡの上面と据付架台２の底面とがほぼ一致するようになっている。このようにして、設備機器用架台１は、据付架台２と複数の架台柱脚３とが一体として構成されている。
【００１７】
次に、上記据付架台２における回転機器据え付け用のアンカーボルトの取付構造について詳細を説明する。
【００１８】
図３（ａ）は、据付架台２におけるアンカーボルト取付構造の一例を表す梁断面図であり、図３（ｂ）は、図３（ａ）断面Ｂ−Ｂによる側断面図である。
【００１９】
これら図３（ａ）及び図３（ｂ）に示すように、据付架台２におけるアンカーボルト８の取付位置が例えばＨ形鋼の鉄骨梁４ａにある場合は、鉄骨梁４ａの上・下フランジ部９ａ，９ｂの所定位置に貫通孔１０が形成され、上・下フランジ部９ａ，９ｂの間に例えば２枚の補強用リブ１１が溶接されている。そして、上・下フランジ部９ａ，９ｂの貫通孔１０にアンカーボルト８が挿通され、下フランジ部９ｂの上下両面側（図３（ａ）及び図３（ｂ）中上下両側）からアンカーボルト８に座金１２を介しナット１３が螺合されて、アンカーボルト８を固定するようになっている。
【００２０】
また、図４（ａ）は、据付架台２におけるアンカーボルト取付構造の他の例を表す梁断面図であり、図４（ｂ）は、図４（ａ）中断面Ｃ−Ｃによる側断面図である。
【００２１】
これら図４（ａ）及び図４（ｂ）においては、上記補強用リブ１１に代えて、上・下フランジ部９ａ，９ｂの間の貫通孔１０位置に例えば略円筒状の補強用スリーブ１４が溶接されている。そして、上・下フランジ部９ａ，９ｂの貫通孔１０及び補強用スリーブ１４にアンカーボルト８が挿通され、下フランジ部９ｂの下面側（図４（ａ）及び図４（ｂ）中下側）からアンカーボルト８に座金１２を介しナット１３が螺合され、座金１２及びナット１３が溶接接合されてアンカーボルト８を固定するようになっている。
【００２２】
また、図５（ａ）及び図５（ｂ）に示すように、アンカーボルト８の取付位置が鉄骨梁４ａにない場合は、鉄骨梁４ａの上・下フランジ部９ａ，９ｂに追設用鋼板１５ａ，１５ｂがそれぞれ溶接され、これら追設用鋼板１５ａ，１５ｂの所定位置に貫通孔１０’が形成されて、上記と同様の構造でアンカーボルト８を固定するようになっている。
【００２３】
次に、本実施形態による設備機器用架台１の施工手順及び作用効果を説明する。
【００２４】
例えば発電所建設現場等にてタービンや発電機等の回転機器が据え付けられる設備機器用架台１を施工する場合、まず、基礎５上の所定位置に複数の鉄骨柱６ａを立設し、これら鉄骨柱６ａに中間鉄骨梁６ｂ及び補強材６ｃを例えばボルト又は溶接等で接合して骨組みを形成し、主鉄筋６ｄ及びフープ筋を配筋し、組み立てた所定の型枠によりコンクリート６ｅを打設する。これによって複数の架台柱脚３が設けられ、これら架台柱脚３の鉄骨柱６ａの上側には、鉄骨部分６ｅＡ及び主鉄筋部分６ｄＡをコンクリート６ｅから露出させる。
【００２５】
そして、例えば工場等で製作した据付架台２を建設現場に輸送し（ただし、輸送可能な程度の大きさに分割製作された場合は建設現場で組み立てられ）、複数の架台柱脚３の上方の所定位置に配置する。そして、例えば据付架台２の水平度等の調整または鉄骨柱６ａより大きい接合断面積を確保するため等の必要に応じてスペーサ用鋼板７を介し（あるいはスペーサ用鋼板７を介さず）、据付架台２の鉄骨梁４ａと架台柱脚３の鉄骨部分６ａＡとを例えばボルト又は溶接等で接合する。その後、コンクリート６ｅから露出していた鉄骨部分６ａＡ及び主鉄筋がほぼ隠れるように、据付架台２の底面付近までコンクリート６ｅＡを打設する。
【００２６】
このように本実施形態による設備機器用架台１は、振動を発生する回転機器が据え付けられる据付架台２と、この据付架台２を固定支持する複数の架台柱脚３とを一体として備えており、複数の架台柱脚３を鉄骨鉄筋コンクリート造とするので、防振性能及び耐震性能を保持しつつ、据付架台２を鉄骨造とすることで、据付架台２は工場等で製作することが可能となり、建設現場の工期短縮を図ることができる。
【００２７】
また、据付架台２を鉄骨造とすることにより、回転機器据え付け用のアンカーボルト８等を容易に設置できる効果もある。すなわち、例えば鉄骨鉄筋コンクリート造の据付架台においては、配筋された鉄筋の所定位置にアンカーボルト８の取付位置をテンプレートで決め、結束鉄筋やアンカープレート等を用いてアンカーボルト８を取り付けた後、アンカーボルト８が回転機器の据付面から突出するようにコンクリート打設を行う。あるいは、コンクリート打設の際にアンカーボルト８の取付位置付近に箱抜き孔を形成させ、アンカーボルト８を取り付けてからコンクリート打設を再度行う。そのため、コンクリート打設の際にアンカーボルト８の取付位置がずれないように配慮するか、コンクリート打設を二度行わなければならなかった。本実施形態においては、据付架台２を鉄骨造とするので、前述のような配慮は不要となり、アンカーボルト８を容易に設置でき、その取付位置を容易に変更することもできる。また同様に、例えば配管支持用金具等も据付架台２に容易に設置でき、取付位置を容易に変更することができる。
【００２８】
なお、上記一実施形態においては、複数の架台柱脚３の施工後、すなわちコンクリート６ｅの打設後、据付架台２と架台柱脚３とを接合する施工手順を例にとって説明したが、これに限られない。すなわち、例えば、架台柱脚３の鉄骨柱６ａと据付架台２の鉄骨梁４ａとを接合してから、架台柱脚３の主鉄筋６ｄ及びフープ筋を配筋しコンクリート６ｅの打設を行うような施工手順としてもよいことは言うまでもない。
【図面の簡単な説明】
【００２９】
【図１】本発明の設備機器用架台の一実施形態の全体構造を表す側面図である。
【図２】図１中Ａ部の部分拡大側面図である。
【図３】本発明の設備機器用架台の一実施形態を構成する据付架台のアンカーボルト取付構造の一例を表す梁断面図、及び断面Ｂ−Ｂによる側断面図であり、アンカーボルト取付位置が鉄骨梁にある場合を表す。
【図４】本発明の設備機器用架台の一実施形態を構成する据付架台のアンカーボルト取付構造の他の例を表す梁断面図、及び断面Ｃ−Ｃによる側断面図であり、アンカーボルト取付位置が鉄骨梁にある場合を表す。
【図５】本発明の設備機器用架台の一実施形態を構成する据付架台のアンカーボルト取付構造の変形例を表す梁断面図であり、アンカーボルト取付位置が鉄骨梁にない場合を表す。
【符号の説明】
【００３０】
１      設備機器用架台
２      据付架台
３      架台柱脚
６ａＡ  鉄骨部分
６ｄＡ  主鉄筋部分
６ｅ    コンクリート
６ｅＡ  コンクリート
７      スペーサ用鋼板
【図１】
2005207130.tif 000003
【図２】
2005207130.tif 000004
【図３】
2005207130.tif 000005
【図４】
2005207130.tif 000006
【図５】
2005207130.tif 000007